(57)【要約】【課題】安価な構成で、侵入者に対する防犯効果が高い空気調和機を提供する。【解決手段】人の在不在を検出する人体検出手段４を備えた室内機２と、前記室内機２の運転を遠隔操作するコントローラ５とを備え、前記コントローラ５に、防犯モードの設定、解除を選択できる防犯モード選択手段６と、防犯モード設定時に、前記人体検出手段４により人を検出したら照明機器（図示せず）を点灯させる信号を出力する照明機器制御信号出力手段１５とを備えたもので、新たな防犯設備の設置や工事を必要とすることなく、既存の照明機器を点灯させて、光によって部屋全体を明るくして侵入者に対して警告作用を与え、より高い防犯効果を発揮することができる。【選択図】図２
2007285560.tif 000002
【特許請求の範囲】
【請求項１】
人の在不在を検出する人体検出手段を備えた空気調和機本体と、前記空気調和機本体の運転を遠隔操作するコントローラとを備え、前記コントローラに、防犯モードの設定、解除を選択できる防犯モード選択手段と、防犯モード設定時に、前記人体検出手段により人を検出したら照明機器を点灯させる信号を出力する照明機器制御信号出力手段とを備えたことを特徴とする空気調和機。
【請求項２】
人の在不在を検出する人体検出手段を備えた空気調和機本体と、前記空気調和機本体の運転を遠隔操作するコントローラとを備え、前記コントローラに、防犯モードの設定、解除を選択できる防犯モード選択手段と、防犯モード設定時に、前記人体検出手段により人を検出したら音響機器を動作させる信号を出力する音響機器制御信号出力手段とを備えたことを特徴とする空気調和機。
【請求項３】
人の在不在を検出する人体検出手段を備えた空気調和機本体と、前記空気調和機本体の運転を遠隔操作するコントローラとを備え、前記コントローラに、防犯モードの設定、解除を選択できる防犯モード選択手段とを備え、防犯モード設定時に、前記人体検出手段により人を検出したら、照明機器及び音響機器を動作させる信号を出力する信号出力手段を備えたことを特徴とする空気調和機。
【請求項４】
防犯モード設定時に人を検出したら音響機器から音響を発生させると共に音量を所定レベル以上に上げるようにすることを特徴とする請求項２又は３に記載の空気調和機。
【請求項５】
空気調和機の運転を遠隔操作する空気調和機用コントローラにおいて、防犯モードの設定、解除を選択できる防犯モード選択手段と、防犯モード設定時に、前記空気調和機に設けられた人体検出手段により人を検出したら照明機器を点灯させる信号を出力する照明機器制御信号出力手段とを備えたことを特徴とする空気調和機用コントローラー。
【請求項６】
空気調和機の運転を遠隔操作する空気調和機用コントローラにおいて、防犯モードの設定、解除を選択できる防犯モード選択手段と、防犯モード設定時に、前記空気調和機に設けられた人体検出手段により人を検出したら音響機器を動作させる信号を出力する音響機器制御信号出力手段とを備えたことを特徴とする空気調和機用コントローラー。
【請求項７】
空気調和機の運転を遠隔操作する空気調和機用コントローラにおいて、防犯モードの設定、解除を選択できる防犯モード選択手段と、防犯モード設定時に、前記空気調和機に設けられた人体検出手段により人を検出したら、照明機器及び音響機器を動作させるように信号を出力する信号出力手段とを備えたことを特徴とする空気調和機用コントローラー。
【請求項８】
防犯モード設定時に人を検出したら音響機器から音響を発生させると共に音量を所定レベル以上に上げるようにすることを特徴とする請求項６又は７に記載の空気調和機用コントローラー。
【発明の詳細な説明】
【技術分野】
【０００１】
本発明は、人体検出機能を有する空気調和機及び空気調和機用コントローラに関するものである。
【背景技術】
【０００２】
従来、この種の空気調和機として、図3に示すように、室内機２に、部屋１内での人の在不在を検出する人体検出手段４と、室内に異常が発生したときに警告を発する警告音発生手段３を備え、人の検出に応じて運転／停止、設定温度、風向等を制御するとともに、室内に異常が発生したときに警告音を発するようにしたものがある。例えば、外出時や夜間部屋を不在にする場合、不在設定して空気調和機の運転を停止した際に、人体検出手段4が部外者の侵入を検知した時に、室内機から警告音を発生するようにした空気調和機がある（例えば、特許文献１参照）。
【特許文献１】特開２０００−３４６４２６号公報
【発明の開示】
【発明が解決しようとする課題】
【０００３】
しかしながら、上記従来の空気調和機は、部屋１において、空気調和機の室内機２から発生する警告のみでは、室内機２の設置場所次第で侵入者に十分な威嚇作用を与えることができない場合があるとともに、居住者や近隣に対して、侵入発生を報知することができない、という課題を有していた。
【０００４】
本発明は、前記従来の課題を解決するもので、侵入者に対し、大きな威嚇作用を与えるとともに、侵入者が侵入したことを、周りにも効果的に報知することができる空気調和機および空気調和機用コントローラを提供することを目的とする。
【課題を解決するための手段】
【０００５】
前記従来の課題を解決するために、本発明の空気調和機は、人の在不在を検出する人体検出手段を備えた空気調和機本体と、前記空気調和機本体の運転を遠隔操作するコントローラとを備え、前記コントローラに、防犯モードの設定、解除を選択できる防犯モード選択手段と、防犯モード設定時に、前記人体検出手段により人を検出したら照明機器を点灯させる信号を出力する照明機器制御信号出力手段とを備えたもので、新たな防犯設備の設置や工事を必要とすることなく、既存の照明機器を点灯させて、光によって部屋全体を明るくして侵入者に対して警告作用を与え、より高い防犯効果を発揮することができる。
【０００６】
また、本発明の空気調和機は、人の在不在を検出する人体検出手段を備えた空気調和機本体と、前記空気調和機本体の運転を遠隔操作するコントローラとを備え、前記コントローラに、防犯モードの設定、解除を選択できる防犯モード選択手段と、防犯モード設定時に、前記人体検出手段により人を検出したら音響機器を動作させる信号を出力する音響機器制御信号出力手段とを備えたもので、新たな防犯設備の設置や工事を必要とすることなく、既存の音響機器から発せられる音響によって部屋全体に音を響かせて侵入者に対して警告作用を与え、より高い防犯効果を発揮することができる。
【０００７】
又、本発明の空気調和機は、人の在不在を検出する人体検出手段を備えた空気調和機本体と、前記空気調和機本体の運転を遠隔操作するコントローラとを備え、前記コントローラに、防犯モードの設定、解除を選択できる防犯モード選択手段とを備え、防犯モード設定時に、前記人体検出手段により人を検出したら、照明機器及び音響機器を動作させる信号を出力する信号出力手段を備えたもので、新たな防犯設備の設置や工事を必要とするこ
となく、既存の照明機器と音響機器を用いて、侵入者に対して、照明光と音響を合わせて同時に複数の警告作用を加え、より一層高い防犯効果を発揮することができる。
【０００８】
本発明の空気調和機用コントローラは、空気調和機の運転を遠隔操作すると共に、防犯モードの設定、解除を選択できる防犯モード選択手段と、防犯モード設定時に、前記空気調和機に設けられた人体検出手段により人を検出したら照明機器を点灯させる信号を出力する照明機器制御信号出力手段とを備えたもので、新たな防犯設備の設置や工事を必要とすることなく、既存の照明機器を点灯させて、光によって部屋全体を明るくして侵入者に対して警告作用を与え、より高い防犯効果を発揮することができる。
【０００９】
又、本発明の空気調和機用コントローラは、空気調和機の運転を遠隔操作すると共に、防犯モードの設定、解除を選択できる防犯モード選択手段と、防犯モード設定時に、前記空気調和機に設けられた人体検出手段により人を検出したら音響機器を動作させる信号を出力する音響機器制御信号出力手段とを備えたもので、新たな防犯設備の設置や工事を必要とすることなく、既存の音響機器から発せられる音響によって部屋全体に音を響かせて侵入者に対して警告作用を与え、より高い防犯効果を発揮することができる。
【００１０】
又、本発明の空気調和機用コントローラは、空気調和機の運転を遠隔操作すると共に、防犯モードの設定、解除を選択できる防犯モード選択手段と、防犯モード設定時に、前記空気調和機に設けられた人体検出手段により人を検出したら、照明機器及び音響機器を動作させるように信号を出力する信号出力手段とを備えたもので、新たな防犯設備の設置や工事を必要とすることなく、既存の照明機器と音響機器を用いて、侵入者に対して、照明光と音響を合わせて同時に複数の警告作用を加え、より一層高い防犯効果を発揮することができる。
【発明の効果】
【００１１】
本発明の空気調和機および空気調和機用コントローラは、新たな防犯設備の設置や工事を必要とすることなく、室内の既存の機器を用いて、安価にかつ容易に侵入者に対してより強い警告作用を与えるとともに、侵入者の発生を居住者および近隣へ報知することができ、高い防犯効果を発揮することができる。
【発明を実施するための最良の形態】
【００１２】
第１の発明は、人の在不在を検出する人体検出手段を備えた空気調和機本体と、前記空気調和機本体の運転を遠隔操作するコントローラとを備え、前記コントローラに、防犯モードの設定、解除を選択できる防犯モード選択手段と、防犯モード設定時に、前記人体検出手段により人を検出したら照明機器を点灯させる信号を出力する照明機器制御信号出力手段とを備えたもので、新たな防犯設備の設置や工事を必要とすることなく、既存の照明機器を点灯させて、光によって部屋全体を明るくして侵入者に対して警告作用を与え、より高い防犯効果を発揮することができる。
【００１３】
第２の発明は、人の在不在を検出する人体検出手段を備えた空気調和機本体と、前記空気調和機本体の運転を遠隔操作するコントローラとを備え、前記コントローラに、防犯モードの設定、解除を選択できる防犯モード選択手段と、防犯モード設定時に、前記人体検出手段により人を検出したら音響機器を動作させる信号を出力する音響機器制御信号出力手段とを備えたもので、新たな防犯設備の設置や工事を必要とすることなく、既存の音響機器から発せられる音響によって部屋全体に音を響かせて侵入者に対して警告作用を与え、より高い防犯効果を発揮することができる。
【００１４】
第３の発明は、人の在不在を検出する人体検出手段を備えた空気調和機本体と、前記空気調和機本体の運転を遠隔操作するコントローラとを備え、前記コントローラに、防犯モ
ードの設定、解除を選択できる防犯モード選択手段とを備え、防犯モード設定時に、前記人体検出手段により人を検出したら、照明機器及び音響機器を動作させる信号を出力する信号出力手段を備えたもので、新たな防犯設備の設置や工事を必要とすることなく、既存の照明機器と音響機器を用いて、侵入者に対して、照明光と音響を合わせて同時に複数の警告作用を加え、より一層高い防犯効果を発揮することができる。
【００１５】
第４の発明は、特に、第２又は第３の発明の防犯モード設定時に人を検出したら音響機器から音響を発生させると共に音量を所定レベル以上に上げるようにするもので、自動的に大きな音響を発生し、部屋全体に音を響かせて侵入者に対して警告作用を与えると共に、部屋だけでなく家全体及びその周辺に音を響かせて侵入者の発生を居住者および近隣にも報知することができ、さらに高い防犯効果を発揮することができる。
【００１６】
第５の発明は、空気調和機の運転を遠隔操作する空気調和機用コントローラにおいて、防犯モードの設定、解除を選択できる防犯モード選択手段と、防犯モード設定時に、前記空気調和機に設けられた人体検出手段により人を検出したら照明機器を点灯させる信号を出力する照明機器制御信号出力手段とを備えたもので、新たな防犯設備の設置や工事を必要とすることなく、既存の照明機器を点灯させて、光によって部屋全体を明るくして侵入者に対して警告作用を与え、より高い防犯効果を発揮することができる。
【００１７】
第６の発明は、空気調和機の運転を遠隔操作する空気調和機用コントローラにおいて、防犯モードの設定、解除を選択できる防犯モード選択手段と、防犯モード設定時に、前記空気調和機に設けられた人体検出手段により人を検出したら音響機器を動作させる信号を出力する音響機器制御信号出力手段とを備えたもので、新たな防犯設備の設置や工事を必要とすることなく、既存の音響機器から発せられる音響によって部屋全体に音を響かせて侵入者に対して警告作用を与え、より高い防犯効果を発揮することができる。
【００１８】
第７の発明は、空気調和機の運転を遠隔操作する空気調和機用コントローラにおいて、防犯モードの設定、解除を選択できる防犯モード選択手段と、防犯モード設定時に、前記空気調和機に設けられた人体検出手段により人を検出したら、照明機器及び音響機器を動作させるように信号を出力する信号出力手段とを備えたもので、新たな防犯設備の設置や工事を必要とすることなく、既存の照明機器と音響機器を用いて、侵入者に対して、照明光と音響を合わせて同時に複数の警告作用を加え、より一層高い防犯効果を発揮することができる。
【００１９】
第８の発明は、特に、第６又は第７の発明の防犯モード設定時に人を検出したら音響機器から音響を発生させると共に音量を所定レベル以上に上げるようにするもので、自動的に大きな音響を発生し、部屋全体に音を響かせて侵入者に対して警告作用を与えると共に、部屋だけでなく家全体及びその周辺に音を響かせて侵入者の発生を居住者および近隣にも報知することができ、さらに高い防犯効果を発揮することができる。
【００２０】
以下、本発明の実施の形態について、図面を参照しながら説明する。なお、この実施の形態によって本発明が限定されるものではない。
【００２１】
（実施の形態１）
図１は、本発明の第１の実施の形態における空気調和機および空気調和機用コントローラの設置例を示す図である。図２は、同空気調和機および空気調和機用コントローラの防犯機能の構成例を示す図である。
【００２２】
部屋１の壁には、空気調和機本体である室内機２が設置されており、室内機２には、ブザー等の警告音を発生する警告音発生手段３と、人の在不在を検出する人体検出手段４を
設けている。人体検出手段４は、例えば、温度が高い人体等の動きによって反応する焦電素子と赤外線を検出する視野範囲を広げるフレネルレンズで構成された人感センサや、多数の焦電素子を配列することで部屋１内の熱画像を検出する赤外線画像センサを用いて、部屋１内における人の在不在を検知するようになっている。
【００２３】
また、５は、空気調和機を遠隔操作するコントローラであり、基本的な空調の各種操作を行う操作部（図示せず）や各種情報を表示する表示部（図示せず）と、防犯モードの設定／解除を選択する防犯モード選択手段６と、警告発生制御手段１３と、信号出力手段としての照明機器制御信号出力手段１５と音響機器制御信号出力手段１６を設けている。
【００２４】
また、コントローラ５には、室内機２との赤外線信号の送受信を行うコントローラ送受信部７を、室内機２には、コントローラ５との赤外線信号の送受信を行う本体送受信部８を設け、コントローラ５と室内機２が双方向で情報をやり取りできるようになっている。なお、コントローラ５と室内機２との通信方式は赤外線信号に限らず、各種無線や有線等特に限定するものではない。
【００２５】
また、同一室内の部屋１には、既存の照明機器９と音響機器１０が設置されている。なお、音響機器１０は、スピーカー等（図示せず）から音響を発生する機器であり、音響のみを発生するオーディオ機器だけでなく、テレビ等の映像と音響の両方を兼ね備えた機器でもよい。また、照明機器９と音響機器１０には、それぞれの機器専用のコントローラ（図示せず）からの操作信号だけではなく、コントローラ５からの操作信号も受信する照明機器制御信号受信部１１、音響機器制御信号受信部１２を設けている。
【００２６】
上記構成による空気調和機の室内機２およびそのコントローラ５において、防犯機能の基本動作について説明する。
【００２７】
まず、居住者は、防犯機能を動作させたい時は、コンローラ５の防犯モード選択手段６で防犯モードを「解除」から「設定」に選択を変更する。防犯モードの設定を選択してから居住者が部屋１からいなくなるまでに要する所定時間後、防犯モードの動作が開始する。防犯モード作動時において、人体検出手段４が侵入者を検知すると、警告発生制御手段１３の指示に基づき、室内機２の本体送受信部８から、侵入者検出信号がコントローラ５に送信され、コントローラ５のコントローラ送受信部７で侵入者検出信号を受信すると、室内機２の本体送受信部８へ、警告音発生手段３から警告音を発生させる操作信号を出力する。同時に、照明機器９の照明機器制御信号受信部１１へ、照明機器制御信号出力手段１５より、照明機器９を点灯させる操作信号を出力する。
【００２８】
よって、侵入者が検知されると、照明機器９が点灯し部屋全体を明るくして侵入者に対して警告作用を与え、より高い防犯効果を発揮することができる。
【００２９】
同時に、音響機器１０の音響機器制御信号受信部１２へは、音響機器制御信号出力手段１６より音響機器１０を作動させる操作信号を出力する。例えば、音響機器の１つであるテレビの電源をONする操作によって、予め設定した放送チャンネルの音声が、予め設定した音量でスピーカーから出力されることになる。
【００３０】
よって、音響によって部屋全体に音を響かせて侵入者に警告作用を与えることにより、さらに高い防犯効果を発揮することができる。
【００３１】
さらに、コントローラ５は、音響機器１０の音響機器制御信号受信部１２へ音響機器の電源をONするだけではなく、音量を所定の音量までUPする操作信号を出力することによって、侵入者が検知されると、自動的に大音量の音響を発生し、部屋全体に音を響かせて侵
入者に対して警告作用を与えると共に、部屋だけでなく家全体及びその周辺まで聞こえる音を響かせることが可能となる。
【００３２】
よって、侵入者の発生を居住者および近隣へ報知することができ、より一層高い防犯効果を発揮することができる。
【００３３】
また、図１に示すように、部屋に設置された既存の照明機器９や音響機器１０を利用するため、新たな防犯設備の設置や工事の必要もなく、安価で容易に、より高い防犯効果を発揮することができる。
【産業上の利用可能性】
【００３４】
以上のように、本発明にかかる空気調和機および空気調和機用コントローラは、新たな防犯設備の設置や工事の必要もなく、安価で容易に、より高い防犯効果を発揮することができるもので、人体検出手段を有した空気調和機、空気清浄機、除湿機、加湿器、扇風機、換気扇、照明器具等さまざまな機器、およびそれら機器をコントロールするコントローラにも応用可能であり、非常に広範囲な用途展開を図ることができる。
【図面の簡単な説明】
【００３５】
【図１】本発明の実施の形態１における空気調和機および空気調和機用コントローラの一例を示す設置図
【図２】同空気調和機および空気調和機用コントローラの防犯機能の構成例を示す図
【図３】従来の空気調和機の設置例を示す図
【符号の説明】
【００３６】
１  部屋
２  室内機（空気調和機本体）
３  警告音発生手段
４  人体検出手段
５  コントローラ
６  防犯モード選択手段
７  コントローラ送受信部
８  本体送受信部
９  照明機器
１０  音響機器
１１  照明機器制御信号受信部
１２  音響機器制御信号受信部
１３  警告発生制御手段
１５  照明機器制御信号出力手段（信号出力手段）
１６  音響機器制御信号出力手段（信号出力手段）
【図１】
2007285560.tif 000003
【図２】
2007285560.tif 000004
【図３】
2007285560.tif 000005